(57)【要約】【課題】乗場側の敷居とかご側の敷居との隙間を、かご扉の開閉に連動するリンク機構によって、大きな操作力を要することなく塞ぎ部材を回動させて塞ぐことにより、出入口幅や隙間が広い場合にも低負荷・省スペースで実現したエレベータ装置を提供する。【解決手段】かご側の敷居３１と乗り場側の敷居３２との間に生じる隙間を塞ぐ塞ぎ部材３５の一辺を、かご側の敷居３１側に回動可能に取り付け、この回動により塞ぎ位置と退避位置とに変位可能とした。この塞ぎ部材３５を回動させるリンク機構は、かご扉の戸開の開始に伴いかご扉側の作動部材との係合が解かれて、塞ぎ部材３５を塞ぎ位置へ回動させると共にこの塞ぎ位置で固定する。かご扉の戸閉端への移動時には、作動部材と係合し、塞ぎ部材３５の塞ぎ位置での固定を解除し、退避位置への回動を許容する。【選択図】図４
2019006556.tif 000002
【特許請求の範囲】
【請求項１】
乗りかごの出入り口に設けられたかご扉を、その開閉方向に沿ってガイドするかご側の敷居と、
前記乗りかごが着床可能な各階床の、前記乗りかごへの出入り口に設けられた乗り場扉を、その開閉方向に沿ってガイドする乗り場側の敷居と、
前記かご側の敷居と乗り場側の敷居との間に生じる隙間を塞ぐことができる形状を有し、一辺が前記かご側の敷居側の支持部材に回動可能に支持され、この回動により前記隙間を塞いだ塞ぎ位置と退避位置とに変位可能な塞ぎ部材と、
前記かご扉の戸閉端からの戸開の開始に伴い前記かご扉側の作動部材との係合が解かれて作動し、前記塞ぎ部材を前記塞ぎ位置へ回動させると共にこの塞ぎ位置で固定し、前記かご扉の戸閉端への移動に伴いかご扉側の作動部材と係合し、かご扉の移動力を受けて前記塞ぎ部材の前記塞ぎ位置での固定を解除し、前記塞ぎ部材の前記退避位置への回動を許容するリンク機構と、
を備えたエレベータ装置。
【請求項２】
前記リンク機構は、前記かご扉側の作動部材との係合が解かれると構成部品の自重によって下方向に移動し、前記かご扉側の作動部材との係合により上昇するように構成された請求項１に記載のエレベータ装置。
【請求項３】
前記リンク機構には摺動ブロックが連結され、前記リンク機構の下降に伴い、この摺動ブロックが、前記塞ぎ部材の回動軸と同軸に設置され、前記塞ぎ部材に、その回動と連動可能に連結された回動ブロックの一端を押し下げることによって前記塞ぎ部材を前記塞ぎ位置へ回動させ、前記摺動ブロックの上昇により前記塞ぎ部材の前記退避位置への回動を許容する請求項２に記載のエレベータ装置。
【請求項４】
前記摺動ブロックは、その下降により、前記回動ブロックとかご側の敷居の間に挟まることで、前記塞ぎ部材を前記塞ぎ位置で固定する請求項３に記載のエレベータ装置。
【請求項５】
前記回動ブロックは、回動方向への緩衝機構を介して塞ぎ部材に連結されている請求項３又は請求項４に記載のエレベータ装置。
【請求項６】
前記塞ぎ部材の先端には、柔軟性のある素材が塞ぎ部材の回動方向に対して部分的に変形可能な状態で取り付けられる請求項１乃至請求項５のいずれか１項に記載のエレベータ装置。
【請求項７】
前記リンク機構は、かご側の敷居が設置される梁の補強板に設置される請求項１乃至請求項６のいずれか１項に記載のエレベータ装置。
【発明の詳細な説明】
【技術分野】
【０００１】
本発明の実施形態は、乗りかごへの出入り口部に設けられた乗り場側及びかご側の敷居間に生じる隙間の塞ぎ構造を有するエレベータ装置に関する。
【背景技術】
【０００２】
建物の昇降路内に設置された乗りかごが、各階床間を昇降して人員や荷物を運搬するエレベータ装置では、乗りかごを昇降させるために、各階床の乗り場と乗りかごとの間に一定の隙間が設けられている。このため、乗りかごが乗り場に着床停止して出入り口の扉が開いた状態では、乗り場側の敷居とかご側の敷居との間に隙間が生じる。この敷居間の隙間は、人がつまずいたり、或いは車椅子や台車等の車輪が落ち込んで引っ掛かったりする原因となり、危険でもある。また、鍵やカード等の小物品が敷居隙間からピット内に落下し、その回収が困難になる場合がある。 
そこで、従来から敷居間の隙間を塞ぐための塞ぎ部材を設け、扉の開放時に敷居隙間を塞ぐように動作させるものが提案されている（例えば、特許文献１参照）。
【先行技術文献】
【特許文献】
【０００３】
【特許文献１】特開平１０−２５０９６２号公報
【発明の概要】
【発明が解決しようとする課題】
【０００４】
特許文献１の発明は、敷居隙間を塞ぐ板をかご床の下部に設置し、エレベータの戸開時に板を回転させて敷居隙間を塞ぎ、エレベータ着床時に敷居隙間からピット内への物の落下を防止している。板は蝶番と戻しばねにより、隙間閉塞状態に付勢される構造になっており、板側に設けられた押し下げレバーを戸閉時にドアが押し、板を戻しばねの付勢力に抗して回転させることによって隙間が開放状態となる。
【０００５】
このような装置では、板を回転させるための押し下げレバーが板の一端部を押して回転動作させるため、出入口幅が広くなると、戻しばねの付勢力に抗して板を回転させる押し下げレバーを動作させるための操作力が大となり、戸閉時のドアへの負荷が大きくなる。またレバーの動作域が広く、設置に広いスペースを要する。
【０００６】
本発明は、乗場側の敷居とかご側の敷居との隙間を、かご扉の開閉に機械的に連動するリンク機構によって、大きな操作力を要することなく塞ぎ部材を回動させて塞ぐことにより、出入口幅や隙間が広い場合にも低負荷・省スペースで実現したエレベータ装置を提供することにある。
【課題を解決するための手段】
【０００７】
本発明の実施の形態係るエレベータ装置は、乗りかごの出入り口に設けられたかご扉を、その開閉方向に沿ってガイドするかご側の敷居と、前記乗りかごが着床可能な各階床の、前記乗りかごへの出入り口に設けられた乗り場扉を、その開閉方向に沿ってガイドする乗り場側の敷居と、前記かご側の敷居と乗り場側の敷居との間に生じる隙間を塞ぐことができる形状を有し、一辺が前記かご側の敷居側の支持部材に回動可能に支持され、この回動により前記隙間を塞いだ塞ぎ位置と退避位置とに変位可能な塞ぎ部材と、前記かご扉の戸閉端からの戸開の開始に伴い前記かご扉側の作動部材との係合が解かれて作動し、前記塞ぎ部材を前記塞ぎ位置へ回動させると共にこの塞ぎ位置で固定し、前記かご扉の戸閉端への移動に伴いかご扉側の作動部材と係合し、かご扉の移動力を受けて前記塞ぎ部材の前記塞ぎ位置での固定を解除し、前記塞ぎ部材の前記退避位置への回動を許容するリンク機構とを備えている。
【０００８】
上記構成によれば、大きな操作力を要することなく塞ぎ部材を回動させて、敷居間の比較的大きな隙間を有効に塞ぐことができる。
【図面の簡単な説明】
【０００９】
【図１】本発明の一実施形態に係るエレベータ装置の全体構成を示す図である。
【図２Ａ】本発明の一実施形態における乗りかごの扉部分を乗り場側から見た正面図であり、かご扉の戸閉状態を表している。
【図２Ｂ】本発明の一実施形態における乗りかごの扉部分を乗り場側から見た正面図であり、かご扉戸開開始状態を表している。
【図３】本発明の一実施形態における塞ぎ部材と乗り場側の敷居との関係を示す斜視図である。
【図４】退避位置にある塞ぎ部材とかご側及び乗り場側の敷居との関係を示す側面図である。
【図５】塞ぎ位置にある塞ぎ部材とかご側及び乗り場側の敷居との関係を示す側面図である。
【図６】緩衝動作時の塞ぎ部材の動作を示す斜視図である。
【図７】リンク機構設置方法の一例を示す図である。
【図８】リンク機構設置方法の他の例を示す図である。
【発明を実施するための形態】
【００１０】
以下、本発明の実施の形態について、図面を参照して詳細に説明する。
【００１１】
先ず、図１によりエレベータ装置の全体構成を説明する。図１で示すように、エレベータ装置１は、昇降路３内に配置された乗りかご４および釣合いおもり５を備える。昇降路３の上方には、メインロープ９を駆動する巻上機７及び制御装置８等が設置された機械室６が設けられている。制御装置８は、エレベータ装置１の全体を制御するもので、乗り場呼び又はかご呼びに応じて巻上機７を運転制御し、乗りかご４を呼びのあった階へ着床させる。
【００１２】
なお、機械室６を設けずに巻上機７や制御装置８を小形化して昇降路３内の上部に設けた、所謂機械室レスのエレベータ装置であってもよい。
【００１３】
このエレベータ装置１では、建屋の各階床に設けられた乗り場１１に、昇降路３内の乗りかご４に通じる出入り口１２が設けられ、この出入り口１２には、乗り場扉２が設けられている。この乗り場扉２は、乗りかご４の着床時、乗りかご４の出入り口２４に設けられたかご扉２５側と、図示しないインターロック機構を介して係合し、かご扉２５の開閉に連動して開閉動作する。
【００１４】
図２Ａ、図２Ｂは乗りかご４の出入り口部の右側部分を、乗り場１１側から見た正面図である。かご扉２５は、左右一対の扉パネルからなる両開式とするが、図では一対の扉パネルのうち右側の扉パネル２５ａのみを示している。この扉パネル２５ａは、戸開時、図示右方へ移動するものとする。このかご扉２５は、乗りかご４側に構成された扉開閉機構に連結しており、この扉開閉機構により図示左右方向に駆動され、開閉動作する。
【００１５】
なお、扉開閉機構は公知のものであり、本願発明とは直接的に関係しないので構造説明は省略するが、図示しないモータの動力により、扉パネル２５ａを、図示しない左側のパネルと互いに連動させ、ガイドレールに沿って左右方向に駆動し、開閉動作させるものである。
【００１６】
ここで、図２Ａはかご扉２５が全閉した戸閉状態を表し、扉パネル２５ａの図示左側辺は、図示しない左側の扉パネルの右側辺と接合している。図２Ｂは、上述した戸閉状態から戸開動作を開始し、扉パネル２５ａが図示右方へ移動した状態を表している。
【００１７】
この乗りかご４の出入り口２４部分には、かご側の敷居３１が設けられており、上述したかご扉２５を、その開閉方向に沿ってスライド可能にガイドする。このかご側の敷居３１は、乗りかごの出入り口２４の下辺部に設けられており、その上面に形成されたガイド溝は、扉パネル２５ａの下端部と係合し、この扉パネル２５ａを開閉方向にガイドする。
【００１８】
かご側の敷居３１に対し、乗り場１１側にも図４，５で示すように敷居３２が設けられている。この乗り場側の敷居３２は、かご側の敷居３１の一側面（ 図４，５の左側面)と所定の間隔を保って対向配置される。この乗り場側の敷居３２の上面にもガイド溝が形成されており、図１で示した乗り場扉２を、その開閉方向に沿ってスライド可能にガイドする。
【００１９】
この乗り場扉２も、前述のように、乗りかご４が乗り場１１に着床すると、かご扉２５と係合し、かご扉２５と共に開閉動作する。すなわち、乗り場扉２は、乗りかご４が着床していないときは、図示しないインターロック機構により扉パネルが閉状態にロックされており、乗りかご４が着床すると、乗りかご４側の図示しない係合部材と係合して上述したロック状態が解かれ、かご扉２５と共に開閉動作する。
【００２０】
乗りかご４が所定階へ着床したとき、かご側の敷居３１と乗り場側の敷居３２との間に、図４，５で示す隙間が生じる。本発明の実施形態では、この敷居間の隙間を、図２乃至図５で示す板状の塞ぎ部材３５により、かご扉２５の戸開動作に伴って塞ぐものである。以下、詳述する。
【００２１】
塞ぎ部材３５は、かご側の敷居３１と乗り場側の敷居３２との間に生じる隙間を塞ぐことができる形状を有する。すなわち、その形状は、かご側の出入り口２４の間口よりやや大きな長さと、図４，５で示す敷居３１，３２の隙間よりやや大きな幅とからなる。なお、この塞ぎ部材３５は金属製或いは樹脂製の何れでもよいが、加工性や他の部品との緩衝性などを考慮すれば樹脂材を用いるとよい。
【００２２】
この塞ぎ部材３５は、その一辺が敷居３１側の支持部材に回動可能に支持されており、この回動により、図５で示す敷居３１，３２の隙間を塞いだ塞ぎ位置と、図４で示すかご側の敷居３１の下部に退避した退避位置とに変位する。すなわち、塞ぎ部材３５の一辺には、図３で示すように軸取付ブロック５３によって回動軸５６が取り付けられ、この回動軸５６は軸支持部材５７によって、かご側の敷居３１に固定されている。
【００２３】
軸取付ブロック５３は、塞ぎ部材３５とそれぞれの凹凸部をはめ合うように組み立て可能な形状となっており、塞ぎ部材３５の一辺に軸取付ブロック５３を複数設置した場合に、回動軸５６の同軸度を確保しやすい構成となっている。
【００２４】
この回動軸５６上には、塞ぎ部材３５との間に、図６に示すように、緩衝用のねじりばね５２を介して回動ブロック５１が設置され、後述するリンク機構４１により回動ブロック５１が回動駆動されると、ねじりばね５２のばね力により塞ぎ部材３５が追従して回動する。すなわち、回動ブロック５１は、回動方向への緩衝機構であるねじりばね５２を介して塞ぎ部材３５に連結されている。
【００２５】
このように、回動ブロック５１は、ねじりばね５２を介して塞ぎ部材３５に設置されており、塞ぎ位置にある塞ぎ部材３５に負荷がかかった際、塞ぎ部材３５の回動ブロック５１に対する回転動作をねじりばね５２のばね力によって緩衝しながら過負荷を回避する。
【００２６】
この構成により、塞ぎ部材３５に荷重が加わることによる塞ぎ部材３５支持部の損傷を防止できる。
【００２７】
この塞ぎ部材３５を回動させるためのリンク機構４１は、扉パネル２５ａの図４で示す戸閉端からの戸開（図示右方への移動）の開始に伴い、扉パネル２５ａ側の作動部材４２との係合が解かれて作動し、塞ぎ部材３５を図５で示す塞ぎ位置へ回動させると共にこの塞ぎ位置で固定する。
【００２８】
すなわち、扉パネル２５ａの図示右部分には、斜辺を介して所定高さに位置設定された作動部材４２が設けられている。リンク機構４１は、作動ブラケット５５、アーム４３、リンク６１を有し、アーム４３の後述する下降動作により、図４で示す摺動ブロック４４を、固定板４６を介して図５で示す状態まで引き下げ、回動ブロック５１を図示右回りに回動させ、塞ぎ部材３５を図５で示す塞ぎ位置へ変位させる。
【００２９】
リンク機構４１を構成する作動ブラケット５５は、図２Ａ，Ｂで示すように、リンク機構４１の図示右端部に縦向きに設けられ、その上端近くには作動部材４２上と係合可能なピン５５ａが設けられている。このピン５５ａは、扉パネル２５ａが図２Ａで示す戸閉端位置に在るとき、作動部材４２上に係合し、作動ブラケット５５を所定高さに保っている。
【００３０】
かご扉２５の戸開動作により扉パネル２５ａが図示右方へ移動すると、ピン５５ａは図２Ｂで示すように作動部材４２上から外れる。すなわち、作動ブラケット５５は、この作動部材４２との係合が解かれて斜辺に沿って自重により下方へ作動する。
【００３１】
これに対し、かご扉２５の戸閉動作により、扉パネル２５ａが図５の状態から図４の状態へ図示左方に移動すると、この扉パネル２５ａの移動力を受けて作動ブラケット５５のピン５５ａは作動部材４２の斜辺に沿って上昇する。そして、図４で示す戸閉端では、作動部材４２上に係合し、作動ブラケット５５を所定の高さまで上昇させる。
【００３２】
作動ブラケット５５の下端にはアーム４３の一端が連結されている。アーム４３はかご扉２５が設けられた乗りかご４の出入り口の間口方向に沿って設けられており、この間口方向に沿って配置された複数のリンク６１により、図４及び図５で示すかご側敷居取付梁３６に、取付けベース４７を介して上下動可能に連結されている。したがって、アーム４３は、作動ブラケット５５の上下動に伴い、上下方向に平行移動する。
【００３３】
アーム４３には、図４、図５及び図７、図８で示すように額縁上に形成された摺動ブロック４４が、固定板４６を介して取り付けられており、アーム４３の上下動に伴い、摺動ブロック４４も上下動する。すなわち、リンク機構４１は摺動ブロック４４を有し、リンク６１を介してかご側敷居取付梁３６に取付けベース４７を介して設けられている。
【００３４】
ここで、塞ぎ部材３５が図４で退避位置にあるとき、回動ブロック５１の一端部（図示右端部）は、摺動ブロック４４の額縁状の開口内に位置しており、摺動ブロック４４が下降すると、これに係合している回動ブロック５１の図示右端部が押し下げられ、回動ブロック５１は図示右回りに回動する。この回動ブロック５１の回動に伴い、塞ぎ部材３５も同方向に回動し、図５で示す塞ぎ位置へ変位する。
【００３５】
また、このとき摺動ブロック４４は、図５で示すように回動後の回動ブロック５１の図示右側面とかご側の敷居３１の側面との間に位置し、回動ブロック５１の図示左回りの回動を阻止する。このため、塞ぎ部材３５は図５で示す塞ぎ位置に保持される。すなわち、摺動ブロック４４は、その下降により、回動ブロック５１とかご側の敷居３１との間に挟まることで、塞ぎ部材３５を塞ぎ位置で固定している。
【００３６】
一方、かご扉２５の戸閉時に扉パネル２５ａが図示左方に移動したことにより、前述のようにリンク機構４１を構成する作動ブラケット５５及びアーム４３が上昇すると、摺動ブロック４４も上昇し、回動ブロック５１が回動可能となる。このため、塞ぎ部材３５はその自重によって図示左回り回転し、退避位置で保持される。すなわち、塞ぎ部材３５の塞ぎ位置での固定を解除し、塞ぎ部材３５の図４で示す退避位置への回動を許容する。
【００３７】
このように、リンク機構４１は、かご扉２５の戸開動作に伴い作動部材４２との係合が解かれると、構成部品の自重によって下方向に移動する。また、かご扉２５の戸閉動作に伴い作動部材４２と係合することにより上昇する。このリンク機構４１には摺動ブロック４４が連結されており、リンク機構４１の下降に伴い、この摺動ブロック４４が、回動ブロック５１の一端を押し下げ、これを回動させる。回動ブロック５１は、塞ぎ部材３５の回動軸と同軸に設置され、塞ぎ部材３５と連動可能に連結されており、回動ブロック５１の回動に伴い、塞ぎ部材３５を塞ぎ位置へ回動させる。また反対に、摺動ブロック４４の上昇により回動ブロック５１に対するロックが解除され、塞ぎ部材３５の退避位置への回動を許容する。
【００３８】
摺動ブロック４４は、上下に動く際にかご側の敷居３１と擦れないよう隙間を開けているが、図５の上右方向に負荷がかかると、摺動ブロック４４を固定板４６と共に保持している板ばね４５が撓むことで、摺動ブロック４４が右方向に倒れる。このことにより、前述した挟まれ動作が可能となっている。なお、図示左方向に変位した場合、摺動ブロック４４と回動ブロック５１の係合位置がずれ、回転動作できない可能性がある。このため、固定板４６によって左方向の変位を制限している。
【００３９】
塞ぎ部材３５の先端には、図６で示すように、柔軟性のある素材の先端部材５４が設置されている。この先端部材５４は、塞ぎ部材３５の回動方向に対して部分的に変形可能な状態で取り付けられている。また、この先端部材５４は、塞ぎ部材３５の先端から乗り場側の敷居３２下に達する長さを有する。
【００４０】
この構成により、塞ぎ部材３５及び先端部材５４によって敷居３１，３２間を塞ぐことができ、小物類がこの隙間からピット内まで落下するようなことはなく、容易に回収可能である。また、先端部材５４はゴム等の柔軟な素材で形成されており、先端位置では塞ぎ部材３５と独立して変形することが可能となっている。
【００４１】
この塞ぎ状態において、乗りかご４ の荷重が大きく変化すると、乗りかご４ が一時的に僅かに上昇することがある。このような乗りかご４ の一時的上昇が生じて先端部材５４が乗り場側の敷居３２に接触しても、変形可能であるため損傷や塞ぎ部材３５の回転動作不良は生じない。
【００４２】
リンク機構４１は、図７に示すように、取付けベース４７によってかご側敷居取付梁３６の補強板３６ａに設置される。
【００４３】
この構成により、かご側敷居取付梁３６の板厚等の形状を乗りかご４の仕様に応じて変更した場合にも、補強板３６ａの位置を変更するだけで容易に対応可能である。
【００４４】
また図８に示すように、補強板３６ａに取付ブラケット４９を介して取付けベース４７を設置してもよい。このように設置すれば、図示左右方向にも位置調整が可能であり、補強板３６ａに高い取付精度を要求しない。
【００４５】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００４６】
１ … エレベータ装置
２ … 乗り場扉
３ … 昇降路
４ … 乗りかご
１１ … 乗り場
２４ … 乗りかごの出入り口
２５ … かご扉
３１ … かご側の敷居
３２ … 乗り場側の敷居
３５ … 塞ぎ部材
３６ … かご側敷居取付梁
３６ａ … かご側敷居取付梁の補強板
４１ … リンク機構
４２… 作動部材
４３ … アーム
４４ … 摺動ブロック
４５ … 板ばね
４６ … 固定板
４７ … 取付ベース
４８ … ストッパー
４９ … 取付ブラケット
５１ … 回動ブロック
５２ … ねじりばね
５３ … 軸取付ブロック
５４ … 塞ぎ部材先端部材
５５ … 作動ブラケット
５６ … 回動軸
５７ … 軸支持ブロック
６１ … リンク
【図１】
2019006556.tif 000003
【図２Ａ】
2019006556.tif 000004
【図２Ｂ】
2019006556.tif 000005
【図３】
2019006556.tif 000006
【図４】
2019006556.tif 000007
【図５】
2019006556.tif 000008
【図６】
2019006556.tif 000009
【図７】
2019006556.tif 000010
【図８】
2019006556.tif 000011
【手続補正書】
【提出日】平成30年7月9日(2018.7.9)
【手続補正１】
【補正対象書類名】明細書
【補正対象項目名】０００７
【補正方法】変更
【補正の内容】
【０００７】
本発明の実施の形態係るエレベータ装置は、乗りかごの出入り口に設けられたかご扉を、その開閉方向に沿ってガイドするかご側の敷居と、前記乗りかごが着床可能な各階床の、前記乗りかごへの出入り口に設けられた乗り場扉を、その開閉方向に沿ってガイドする乗り場側の敷居と、前記かご側の敷居と乗り場側の敷居との間に生じる隙間を塞ぐことができる形状を有し、一辺が前記かご側の敷居側の支持部材に回動可能に支持され、この回動により前記隙間を塞いだ塞ぎ位置と退避位置とに変位可能な塞ぎ部材と、前記かご扉の戸閉端からの戸開の開始に伴い前記かご扉側の作動部材との係合が解かれて作動し、前記塞ぎ部材を前記塞ぎ位置へ回動させると共にこの塞ぎ位置で固定し、前記かご扉の戸閉端への移動に伴いかご扉側の作動部材と係合し、かご扉の移動力を受けて前記塞ぎ部材の前記塞ぎ位置での固定を解除し、前記塞ぎ部材の前記退避位置への回動を許容するリンク機構とを備え、前記リンク機構は、前記かご扉側の作動部材との係合が解かれると構成部品の自重によって下方向に移動し、前記かご扉側の作動部材との係合により上昇するように構成され、かつ、前記リンク機構には摺動ブロックが連結され、前記リンク機構の前記下降に伴い、この摺動ブロックが、前記塞ぎ部材の回動軸と同軸に設置され、前記塞ぎ部材に、その回動と連動可能に連結された回動ブロックの一端を押し下げることによって前記塞ぎ部材を前記塞ぎ位置へ回動させ、前記摺動ブロックの上昇により前記塞ぎ部材の前記退避位置への回動を許容する。
【手続補正２】
【補正対象書類名】特許請求の範囲
【補正対象項目名】全文
【補正方法】変更
【補正の内容】
【特許請求の範囲】
【請求項１】
乗りかごの出入り口に設けられたかご扉を、その開閉方向に沿ってガイドするかご側の敷居と、
前記乗りかごが着床可能な各階床の、前記乗りかごへの出入り口に設けられた乗り場扉を、その開閉方向に沿ってガイドする乗り場側の敷居と、
前記かご側の敷居と乗り場側の敷居との間に生じる隙間を塞ぐことができる形状を有し、一辺が前記かご側の敷居側の支持部材に回動可能に支持され、この回動により前記隙間を塞いだ塞ぎ位置と退避位置とに変位可能な塞ぎ部材と、
前記かご扉の戸閉端からの戸開の開始に伴い前記かご扉側の作動部材との係合が解かれて作動し、前記塞ぎ部材を前記塞ぎ位置へ回動させると共にこの塞ぎ位置で固定し、前記かご扉の戸閉端への移動に伴い前記かご扉側の作動部材と係合し、前記かご扉の移動力を受けて前記塞ぎ部材の前記塞ぎ位置での固定を解除し、前記塞ぎ部材の前記退避位置への回動を許容するリンク機構とを備え、
前記リンク機構は、前記かご扉側の作動部材との係合が解かれると構成部品の自重によって下方向に移動し、前記かご扉側の作動部材との係合により上昇するように構成され、
かつ、前記リンク機構には摺動ブロックが連結され、前記リンク機構の前記下降に伴い、この摺動ブロックが、前記塞ぎ部材の回動軸と同軸に設置され、前記塞ぎ部材に、その回動と連動可能に連結された回動ブロックの一端を押し下げることによって前記塞ぎ部材を前記塞ぎ位置へ回動させ、前記摺動ブロックの上昇により前記塞ぎ部材の前記退避位置への回動を許容するエレベータ装置。
【請求項２】
前記摺動ブロックは、その下降により、前記回動ブロックと前記かご側の敷居の間に挟まることで、前記塞ぎ部材を前記塞ぎ位置で固定する請求項１に記載のエレベータ装置。
【請求項３】
前記回動ブロックは、回動方向への緩衝機構を介して前記塞ぎ部材に連結されている請求項１又は請求項２に記載のエレベータ装置。
【請求項４】
前記塞ぎ部材の先端には、柔軟性のある素材が前記塞ぎ部材の回動方向に対して部分的に変形可能な状態で取り付けられる請求項１乃至請求項３のいずれか１項に記載のエレベータ装置。
【請求項５】
前記リンク機構は、前記かご側の敷居が設置される梁の補強板に設置される請求項１乃至請求項４のいずれか１項に記載のエレベータ装置。